(57)【要約】【課題】画像不良が発生した場合に、ユーザーに画像不良に対する知識がなくても、画像不良の種別を精度良く特定する。【解決手段】画像形成装置は、入力画像を用紙上に印刷することによって、出力画像として出力する画像形成部と、出力画像に発生し得る複数種類の画像不良に関する画像不良情報を記憶する記憶装置と、画像を表示するための表示部と、ユーザーからの入力を受け付けるための入力部と、制御装置とを備える。制御装置は、入力部を介したユーザーからの指示を契機として、記憶装置から画像不良情報を取得し、複数種類の画像不良の少なくとも一部に対応する複数の画像の例を、表示部に表示し、表示された複数の画像の例の中から、出力画像に発生した画像不良に対応する画像の選択を入力部を介して受け付け、選択された画像に基づいて、画像形成部の故障箇所を判断する。【選択図】図３
2019102843.tif 000002
【特許請求の範囲】
【請求項１】
入力画像を用紙上に印刷することによって、出力画像として出力する画像形成部と、
前記出力画像に発生し得る複数種類の画像不良に関する画像不良情報を記憶する記憶装置と、
画像を表示するための表示部と、
ユーザーからの入力を受け付けるための入力部と、
制御装置とを備え、
前記制御装置は、
前記入力部を介した前記ユーザーからの指示を契機として、前記記憶装置から前記画像不良情報を取得し、
前記複数種類の画像不良の少なくとも一部に対応する複数の画像の例を、前記表示部に表示し、
前記表示された複数の画像の例の中から、前記出力画像に発生した画像不良に対応する画像の選択を前記入力部を介して受け付ける、画像形成装置。
【請求項２】
前記制御装置は、さらに、前記選択された画像に基づいて、前記画像形成部の故障箇所を判断する、請求項１に記載の画像形成装置。
【請求項３】
前記制御装置は、無地画像に対して前記複数種類の画像不良の少なくとも一部に対応した画像処理を行い、得られた画像を前記複数の画像の例として、前記表示部に表示する、請求項１または２に記載の画像形成装置。
【請求項４】
前記制御装置は、前記入力画像に対して前記複数種類の画像不良の少なくとも一部に対応した画像処理を行い、得られた画像を前記複数の画像の例として、前記表示部に表示する、請求項１または２に記載の画像形成装置。
【請求項５】
前記複数種類の画像不良の各々は、前記画像形成部の少なくとも１つの故障原因に対応している、請求項１〜４のいずれか１項に記載の画像形成装置。
【請求項６】
前記制御装置は、前記選択された画像と前記画像形成装置の使用状況とに基づいて、前記画像形成部の故障箇所を判断する、請求項１〜５のいずれか１項に記載の画像形成装置。
【請求項７】
前記制御装置は、前記画像形成部の故障箇所に寿命が到来しているか否かを判断する、請求項６に記載の画像形成装置。
【請求項８】
前記制御装置は、前記画像形成部の故障箇所のメンテナンスが必要であるか否かを判断する、請求項６に記載の画像形成装置。
【請求項９】
前記制御装置は、さらに、前記入力部を介した前記ユーザーからの指示を契機として、前記複数の画像の例の中の少なくとも１つを用紙に印刷するように、前記画像形成部に指示する、請求項１〜８のいずれか１項に記載の画像形成装置。
【請求項１０】
前記制御装置は、前記選択された画像に対応する前記画像形成部の故障要因が複数ある場合は、前記画像形成部の故障要因を特定可能なテストパターンを用紙に印刷するように前記画像形成部に指示する、請求項１〜９のいずれか１項に記載の画像形成装置。
【請求項１１】
前記制御装置は、前記複数の画像の例を、それぞれに対応する画像不良の発生回数の多い順に並べて前記表示部に表示する、請求項１〜１０のいずれか１項に記載の画像形成装置。
【請求項１２】
前記画像形成装置は、動作モードの１つとしてチェックモードを有し、
前記チェックモードでは、前記画像形成部は、画像不良が発生しているか否かをチェックするためのテストパターンを用紙上に印刷して出力する、請求項１〜１１のいずれか１項に記載の画像形成装置。
【請求項１３】
画像形成システムであって、
画像形成装置と、
サーバーとを備え、
前記画像形成装置は、
入力画像を用紙上に印刷することによって、出力画像として出力する画像形成部と、
画像を表示するための表示部と、
前記出力画像における不良発生を報知するための入力をユーザーから受け付ける入力部と、
第１の制御装置とを備え、
前記第１の制御装置は、
前記ユーザからの入力を契機として、画像不良の発生を前記サーバーに報知し、
前記サーバーから受信した複数の不良画像の例を前記表示部に表示させ、
前記表示された複数の不良画像の例の中から、前記出力画像に発生した画像不良に対応する画像の選択を前記入力部を介して受け付け、
前記選択された画像を表す情報を前記サーバーに送信し、
前記サーバーは、
前記出力画像に発生し得る複数種類の画像不良に関する画像不良情報を記憶する記憶装置と、
第２の制御装置とを備え、
前記第２の制御装置は、
画像不良の発生を前記画像形成装置から報知された場合に、前記画像不良情報に基づいて前記複数種類の画像不良の少なくとも一部に対応する前記複数の不良画像の例を、前記画像形成装置に送信し、
前記選択された画像を表す情報に基づいて、前記画像形成部の故障個所を判断する、画像形成システム。
【請求項１４】
前記第１の制御装置は、前記ユーザからの入力を契機として、不良の出力画像に対応する入力画像を前記サーバーに送信し、
前記第２の制御装置は、前記第１の制御装置から送信された入力画像に基づいて、前記複数種類の画像不良の少なくとも一部に対応した画像処理を行い、得られた画像を前記複数の不良画像の例として前記画像形成装置に送信する、請求項１３に記載の画像形成システム。
【請求項１５】
前記第２の制御装置は、前記複数の不良画像の例とともに対応する画像不良の発生回数に関する情報を前記画像形成装置に送信し、
前記第１の制御装置は、前記複数種類の不良画像を、対応する画像不良の発生回数の多い順に並べて表示する、請求項１３または１４に記載の画像形成システム。
【請求項１６】
前記第２の制御装置は、前記画像形成部の故障個所に寿命が到来しているかまたはメンテナンスが必要であるか否かを判断し、
前記第１の制御装置は、前記判断の結果を前記表示部に表示する、請求項１３〜１５のいずれか１項に記載の画像形成システム。
【請求項１７】
前記第２の制御装置は、前記画像形成部の故障個所にメンテナンスが必要と判断した場合には、遠隔装置によって前記画像形成部の故障個所のメンテナンスを行う、請求項１３〜１６のいずれか１項に記載の画像形成システム。
【請求項１８】
画像形成装置の故障診断を少なくとも１つの制御装置によって行う方法であって、
前記画像形成装置は、入力画像を用紙上に印刷することによって、出力画像として出力する画像形成部を備え、
前記出力画像における不良発生を入力インターフェイスを介して受け付けるステップと、
前記出力画像に発生し得る複数種類の画像不良に関する画像不良情報を記憶する記憶装置から、前記不良発生を契機として前記画像不良情報を取得するステップと、
前記画像不良情報に基づいて、前記複数種類の画像不良の少なくとも一部に対応する複数の画像の例をディスプレイに表示するステップと、
前記表示された複数の画像の例の中から、前記出力画像に発生した画像不良に対応する画像の選択を前記入力インターフェイスを介して受け付けるステップと、
前記選択された画像に基づいて、前記画像形成部の故障箇所を判断するステップとを備える、画像形成装置の故障診断方法。
【請求項１９】
請求項１８に記載の画像形成装置の故障診断方法を少なくとも１つの制御装置に実行させるための制御プログラム。
【発明の詳細な説明】
【技術分野】
【０００１】
本開示は、画像形成装置に関し、より特定的には画像形成装置の画像不良発生時の対処手段に関する。
【背景技術】
【０００２】
電子写真方式の画像形成装置では、現像ユニット、感光体ユニット、転写ユニット、定着ユニットなどが連動して作動しているため、それぞれのユニットを起因とする画像不良が発生し得る。画像不良が発生した場合には、その内容に応じて適切に対処する必要がある。
【０００３】
このような画像不良発生時の対処手段に関する技術として、たとえば、特開２０１７−０８３５４４号公報（特許文献１）は、出力された画像不良をスキャナで読み取ることで、画像不良データの特徴情報を取得する画像形成装置を開示している。また、特開２０１２−０４９６９１号公報（特許文献２）は、ユーザーから異常情報の入力を受け付けて、パラメータ変更や対応作業を表示する画像形成装置を開示している。
【先行技術文献】
【特許文献】
【０００４】
【特許文献１】特開２０１７−０８３５４４号公報
【特許文献２】特開２０１２−０４９６９１号公報
【発明の概要】
【発明が解決しようとする課題】
【０００５】
しかし、上記特許文献１に記載の技術では、画像をスキャナで読み取って機械的に判断しているため、人が画像不良を見て種別を判断するほどの精度を出すことができなかった。また、上記特許文献２に記載の技術では、ユーザーに画像不良の知識がない場合に、画像不良の情報を正しく入力することができないといった不具合が生じていた。したがって、ユーザーに画像不良に対する知識がない場合にも、画像不良の種別を精度良く特定するための技術が求められている。
【０００６】
本開示は、上記問題点を解決するためになされたものであり、ある局面における目的は、画像不良が発生した場合に、ユーザーに画像不良に対する知識がなくても、画像不良の種別を精度良く特定する画像形成装置を提供することである。
【課題を解決するための手段】
【０００７】
ある局面に従うと、入力画像を用紙上に印刷することによって、出力画像として出力する画像形成部と、出力画像に発生し得る複数種類の画像不良に関する画像不良情報を記憶する記憶装置と、画像を表示するための表示部と、ユーザーからの入力を受け付けるための入力部と、制御装置とを備える画像形成装置が提供される。制御装置は、入力部を介したユーザーからの指示を契機として、記憶装置から画像不良情報を取得し、複数種類の画像不良の少なくとも一部に対応する複数の画像の例を、表示部に表示し、表示された複数の画像の例の中から、出力画像に発生した画像不良に対応する画像の選択を入力部を介して受け付け、選択された画像に基づいて、画像形成部の故障箇所を判断する。
【０００８】
好ましくは、制御装置は、入力画像に基づいて複数種類の画像不良の少なくとも一部に対応した画像処理を行い、得られた画像を複数の画像の例として、表示部に表示する。
【０００９】
好ましくは、複数種類の画像不良の各々は、画像形成部の少なくとも１つの故障原因に対応している。
【００１０】
好ましくは、制御装置は、選択された画像と画像形成装置の使用状況とに基づいて、画像形成部の故障箇所を判断する。
【００１１】
好ましくは、制御装置は、画像形成部の故障箇所に寿命が到来しているか否かを判断する。
【００１２】
好ましくは、制御装置は、画像形成部の故障箇所のメンテナンスが必要であるか否かを判断する。
【００１３】
好ましくは、制御装置は、さらに、入力部を介したユーザーからの指示を契機として、複数の画像の例の中の少なくとも１つを用紙に印刷するように、画像形成部に指示する。
【００１４】
好ましくは、制御装置は、選択された画像に対応する画像形成部の故障要因が複数ある場合は、画像形成部の故障要因を特定可能なテストパターンを用紙に印刷するように画像形成部に指示する。
【００１５】
好ましくは、制御装置は、複数の画像の例を、それぞれに対応する画像不良の発生回数の多い順に並べて表示部に表示する。
【００１６】
好ましくは、画像形成装置は、動作モードの１つとしてチェックモードを有し、チェックモードでは、画像形成部は、画像不良が発生しているか否かをチェックするためのテストパターンを用紙上に印刷して出力する。
【００１７】
他の局面に従うと、画像形成装置と、サーバーとを備える画像形成システムが提供される。画像形成装置は、入力画像を用紙上に印刷することによって、出力画像として出力する画像形成部と、画像を表示するための表示部と、出力画像における不良発生を報知するための入力をユーザーから受け付ける入力部と、第１の制御装置とを備える。第１の制御装置は、ユーザからの入力を契機として、画像不良の発生をサーバーに報知し、サーバーから受信した複数の不良画像の例を表示部に表示させ、表示された複数の不良画像の例の中から、出力画像に発生した画像不良に対応する画像の選択を入力部を介して受け付け、選択された画像を表す情報をサーバーに送信する。サーバーは、出力画像に発生し得る複数種類の画像不良に関する画像不良情報を記憶する記憶装置と、第２の制御装置とを備える。第２の制御装置は、画像不良の発生を画像形成装置から報知された場合に、画像不良情報に基づいて複数種類の画像不良の少なくとも一部に対応する複数の不良画像の例を、画像形成装置に送信し、選択された画像を表す情報に基づいて、画像形成部の故障個所を判断する。
【００１８】
好ましくは、第１の制御装置は、ユーザからの入力を契機として、不良の出力画像に対応する入力画像をサーバーに送信し、第２の制御装置は、第１の制御装置から送信された入力画像に基づいて、複数種類の画像不良の少なくとも一部に対応した画像処理を行い、得られた画像を複数の不良画像の例として画像形成装置に送信する。
【００１９】
好ましくは、第２の制御装置は、複数の不良画像の例とともに対応する画像不良の発生回数に関する情報を画像形成装置に送信し、第１の制御装置は、複数種類の不良画像を、対応する画像不良の発生回数の多い順に並べて表示する。
【００２０】
好ましくは、第２の制御装置は、画像形成部の故障個所に寿命が到来しているかまたはメンテナンスが必要であるか否かを判断し、第１の制御装置は、判断の結果を表示部に表示する。
【００２１】
好ましくは、第２の制御装置は、画像形成部の故障個所にメンテナンスが必要と判断した場合には、遠隔装置によって画像形成部の故障個所のメンテナンスを行う。
【００２２】
他の局面に従うと、画像形成装置の故障診断を少なくとも１つの制御装置によって行う方法が提供される。画像形成装置は、入力画像を用紙上に印刷することによって、出力画像として出力する画像形成部を備える。画像形成装置の故障診断方法は、出力画像における不良発生を入力インターフェイスを介して受け付けるステップと、出力画像に発生し得る複数種類の画像不良に関する画像不良情報を記憶する記憶装置から、不良発生を契機として画像不良情報を取得するステップと、画像不良情報に基づいて、複数種類の画像不良の少なくとも一部に対応する複数の画像の例をディスプレイに表示するステップと、表示された複数の画像の例の中から、出力画像に発生した画像不良に対応する画像の選択を入力インターフェイスを介して受け付けるステップと、選択された画像に基づいて、画像形成部の故障箇所を判断するステップとを備える。
【００２３】
他の局面に従うと、上記画像形成装置の故障診断方法を少なくとも１つの制御装置に実行させるための制御プログラムが提供される。
【００２４】
ある局面において、画像不良の種別を精度良く特定する画像形成装置を提供することができる。
【００２５】
上記および他の目的、特徴、局面および利点は、添付の図面と関連して理解される次の詳細な説明から明らかとなるであろう。
【図面の簡単な説明】
【００２６】
【図１】画像形成装置の内部構造の一例を示す図である。
【図２】画像形成装置の機能的構成を示すブロック図である。
【図３】第１の実施の形態に係る画像形成装置において画像不良を特定する処理を表す機能ブロック図である。
【図４】記憶装置に記憶されている画像不良データの一例を示す図である。
【図５】不良画像表示処理における操作パネルの表示の一例を示す図である。
【図６】画像不良特定処理の手順を示すフローチャートである。
【図７】第１の実施の形態に係る画像形成装置の変形例における不良画像の表示の一例を示す図である。
【図８】第１の実施の形態に係る変形例における不良画像の表示の他の例を示す図である。
【図９】第２の実施の形態に係る画像形成装置において画像不良を特定する処理を表す機能ブロック図である。
【図１０】画像不良の形成処理の一例を示す図である。
【図１１】画像不良の形成処理の他の例を示す図である。
【図１２】画像不良の形成処理のさらに他の例を示す図である。
【図１３】第２の実施の形態に係る画像不良特定処理の手順を示すフローチャートである。
【図１４】第３の実施の形態に係る画像形成システムの機能ブロック図である。
【図１５】画像形成システムにおいて、画像形成装置とサーバーとの連携を示す図である。
【発明を実施するための形態】
【００２７】
以下、図面を参照しつつ、本発明に従う各実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００２８】
＜第１の実施の形態＞
［１．画像形成装置１００の内部構造］
図１を参照して、画像形成装置１００の内部構造について説明する。図１は、画像形成装置１００の内部構造の一例を示す図である。
【００２９】
画像形成装置１００は、カラープリンタ、モノクロプリンタ、またはファックスであってもよいし、モノクロプリンタ、カラープリンタおよびファックスの複合機（いわゆるＭＦＰ（Multi  Functional  Peripheral））であってもよい。
【００３０】
画像形成装置１００は、画像読取部としてのスキャナー２０と、画像形成部１１０を含むプリンター２５とを備える。スキャナー２０は、カバー２１と、用紙台２２と、用紙トレイ２３と、ＡＤＦ（Auto  Document  Feeder）２４とを備える。カバー２１の一端は、用紙台２２に固定されており、カバー２１は、当該一端を支点として開閉可能に構成されている。
【００３１】
画像形成装置１００のユーザーは、カバー２１を開くことで、原稿を用紙台２２にセットすることができる。画像形成装置１００は、原稿が用紙台２２にセットされた状態でスキャン指示を受け付けると、用紙台２２にセットされた原稿のスキャンを開始する。また、画像形成装置１００は、原稿が用紙トレイ２３にセットされた状態でスキャン指示を受け付けると、ＡＤＦ２４によって１枚ずつ自動的に原稿を読み取る。
【００３２】
プリンター２５は、用紙の収納部６０Ａ〜６０Ｄと、給紙部としての給紙ローラー６１と、用紙の搬送ローラー６２と、用紙センサ６３と、タイミングローラー８７と、タイミングセンサ８８と、切替爪８９と、反転ローラー７０と、画像形成装置１００を制御するための制御装置１０１と、スキャナー２０によって読み取られた画像を用紙に印刷するための画像形成部１１０とを含む。
【００３３】
収納部６０Ａ〜６０Ｄは、用紙がセットされるカセットである。以下では、収納部６０Ａ〜６０Ｄの１つを代表して収納部６０ともいう。収納部６０は、画像形成装置１００から脱着可能に構成されている。ユーザーは、画像形成装置１００から収納部６０を外すことで収納部６０に用紙をセットすることができる。収納される用紙のサイズは、収納部６０Ａ〜６０Ｄ間で異なっていてもよいし、同じであってもよい。
【００３４】
給紙ローラー６１は、給紙クラッチ（図示しない）を介してモーター（図示しない）に接続されている。当該モーターは、制御装置１０１によって制御される。制御装置１０１は、ユーザーから印刷指示を受けたことに基づいて、モーターを駆動する。モーターは、給紙クラッチを介して給紙ローラー６１を回転する。これにより、用紙は収納部６０から搬送経路４１に１枚ずつ送り出される。
【００３５】
搬送ローラー６２は、収納部６０から送り出された用紙を搬送するように、搬送経路４１内に複数設けられている。搬送ローラー６２は、モーター（図示しない）に接続されている。制御装置１０１は、当該モーターを駆動することで搬送ローラー６２を回転し、搬送経路４１に沿って用紙を搬送する。用紙は、画像形成部１１０に搬送される。
【００３６】
手差しトレイ６４は、手差し用の用紙がセットされるトレイである。ユーザーは、手差し用の用紙として、長方形などの定型用紙の他に、長方形以外（たとえば星形）の非定型用紙をセットすることもできる。非定型用紙をセットした際の後続の処理の詳細は、後述する。
【００３７】
画像形成部１１０は、印刷対象の画像パターンに従ってトナー像を形成し、当該トナー像を用紙に印刷する。タイミングローラー８７は、タイミングセンサ８８による用紙の検知結果に基づいて、画像形成部１１０内を搬送されるトナー像の位置に合わせて用紙の搬送を調整する。その結果、画像形成部１１０で形成されたトナー像が、用紙の適切な位置に印刷される。
【００３８】
その後、制御装置１０１は、画像形成装置１００が片面印刷の指示を受け付けている場合に、切替爪８９を駆動し、用紙をトレー４８に排紙する。他方、制御装置１０１は、画像形成装置１００が両面印刷の指示を受け付けている場合に、切替爪８９を駆動し、用紙を反転ローラー７０に搬送する。その後、用紙は搬送ローラー６２に送られ、再び画像形成部１１０を通過する。トナー像が用紙の裏面に印刷され、用紙はトレー４８に排紙される。
【００３９】
［２．システム構成］
図２を参照して、画像形成装置１００のシステム構成の一例について説明する。図２は、画像形成装置１００の機能的構成を示すブロック図である。
【００４０】
図２に示されるように、画像形成装置１００は、図１のスキャナー２０およびプリンター２５の他に、制御装置１０１と、ＲＯＭ（Read  Only  Memory）１０２と、ＲＡＭ（Random  Access  Memory）１０３と、ネットワークインターフェイス１０４と、操作パネル１０７と、記憶装置１２０とを含む。
【００４１】
制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【００４２】
制御装置１０１は、本実施の形態に従う制御プログラム１２２などの各種プログラムを実行することで画像形成装置１００の動作を制御する。制御装置１０１は、制御プログラム１２２の実行命令を受け付けたことに基づいて、記憶装置１２０からＲＡＭ１０３に制御プログラム１２２を読み出す。ＲＡＭ１０３は、ワーキングメモリとして機能し、制御プログラム１２２の実行に必要な各種データを一時的に格納する。
【００４３】
ネットワークインターフェイス１０４には、アンテナ（図示しない）などが接続される。画像形成装置１００は、当該アンテナを介して、外部の通信機器との間でデータをやり取りする。外部の通信機器は、たとえば、スマートフォンなどの携帯通信端末、サーバーなどを含む。画像形成装置１００は、制御プログラム１２２をアンテナを介してサーバーからダウンロードできるように構成されてもよい。
【００４４】
操作パネル１０７は、図３の表示部１１３としてのディスプレイと図３の入力部１１５としてのタッチパネルなどの入力インターフェイスとで構成される。ディスプレイおよびタッチパネルは、互いに重ねられている。操作パネル１０７は、たとえば、画像形成装置１００に対する印刷操作やスキャン操作などを受け付ける。
【００４５】
記憶装置１２０は、たとえば、ハードディスク、ＳＳＤ（Solid  State  Drive）その他の記憶装置である。記憶装置１２０は、内蔵式、外付け式のいずれであってもよい。記憶装置１２０は、本実施の形態に従う制御プログラム１２２を格納する。制御プログラム１２２の格納場所は記憶装置１２０に限定されず、制御装置１０１の記憶領域（たとえば、キャッシュなど）、ＲＯＭ１０２、ＲＡＭ１０３、外部機器（たとえば、サーバー）などに格納されていてもよい。
【００４６】
制御プログラム１２２は、単体のプログラムとしてではなく、モジュールとしての任意のプログラムの一部に組み込まれて提供されてもよい。この場合、本実施の形態に従う制御処理は、任意のプログラムと協働して実現される。このような一部のモジュールを含まないプログラムであっても、本実施の形態に従う制御プログラム１２２の趣旨を逸脱するものではない。
【００４７】
制御プログラム１２２によって提供される機能の一部または全部は、さらに、専用のハードウェアによって実現されてもよい。さらに、少なくとも１つのサーバーが制御プログラム１２２の処理の一部を実行する所謂クラウドサービスのような形態で画像形成装置１００が構成されてもよい。
【００４８】
［３．画像不良特定処理］
図３〜図５を参照して、第１の実施の形態に係る画像形成装置において画像不良を特定するための処理について説明する。図３は、第１の実施の形態に係る画像形成装置において画像不良を特定する処理を表す機能ブロック図である。図４は、画像不良データの一例を示す図である。図５は、操作パネル１０７へ表示された不良画像の一例を示す図である。
【００４９】
図３に示すように、画像形成装置１００は、判断部１１７、入力制御部１１４、および表示制御部１１２として機能する制御装置１０１と、表示部１１３および入力部１１５として機能する操作パネル１０７と、記憶装置１２０とを備える。
【００５０】
画像形成装置１００は、動作モードとして、ユーザーの指示に従って印刷ジョブを行う印刷モードと、画像不良表示モードとを有する。画像不良表示モードは、印刷ジョブ実行時における画像形成装置１００による画像形成において、用紙上に画像不良が形成されたためにユーザーが入力部１１５に所定の入力をした場合に開始される。
【００５１】
表示制御部１１２は、画像不良表示モードにおいて、記憶装置１２０から画像不良データＤを取得し、取得した画像不良データＤを操作パネル１０７に表示する。画像不良データＤの詳細は後述する。
【００５２】
入力制御部１１４は、画像不良表示モードにおいて、操作パネル１０７に表示された画像不良データに対するユーザーの選択を受け付ける。ユーザーは、用紙上に発生した画像不良に対応するデータを選択する。
【００５３】
判断部１１７は、画像不良表示モードにおいて、入力部１１５が受け付けた選択の内容に基づいて用紙上に発生した画像不良を特定し、当該画像不良の原因を診断し、対処方法を判断する。判断部１１７は、当該対処方法を操作パネル上に表示してユーザーに報知する。さらに、当該判断内容に基づいて、記憶装置１２０に格納されている画像不良の発生回数の情報を更新する。
【００５４】
図４に、記憶装置１２０に記憶されている画像不良データＤの一例を示す。画像不良データＤは、例えば、不良画像５１と、不良名称５２と、原因ユニット５３と、対処内容５４と、発生回数５５とを備える。
【００５５】
不良画像５１は、用紙上に形成された画像に発生し得る画像不良を表す画像データの一例である。表示制御部１１２は、当該画像データを、操作パネル１０７に表示する。
【００５６】
不良名称５２は、対応する画像不良の名称を意味する。
原因ユニット５３は、対応する画像不良が発生する際の原因となるユニットを意味する。原因ユニット５３としては、現像器、感光体、定着装置などの画像形成装置１００内のユニットから、１つまたは複数が設定される。
【００５７】
対処内容５４は、対応する画像不良が発生した場合に想定される対処手段を意味する。画像不良の内容に応じて、１つまたは複数の対処手段が設定される。
【００５８】
発生回数５５は、対応する画像不良が発生した回数を意味する。詳細は後述するように、ユーザーが、発生した画像不良の種類に対応する不良画像５１を選択すると、発生回数５５が更新される。
【００５９】
図５に、不良画像表示処理における操作パネル１０７の表示の一例を示す。操作パネル１０７の手前側には、操作ボタン５６を設けてもよい。操作ボタン５６は、電源ボタン５６ａ、テンキー５６ｂ、スタートキー５６ｃ、ストップキー５６ｄ、リセットキー５６ｅとを含む。操作ボタンは、ユーザーによる画像形成装置１００への操作を受け付ける。
【００６０】
表示制御部１１２は、画像不良データＤの複数種類の画像不良にそれぞれ対応する複数の画像の例として、画像不良データＤの不良画像５１を操作パネル１０７に表示する。好ましくは、表示制御部１１２は、不良画像５１を、発生回数５５の多い順に並べて表示する。
【００６１】
ユーザーは、印刷ジョブ実行時に用紙上に発生した画像不良に対応する不良画像５１を選択する。図５に示す例では、選択枠５８ａおよび選択アイコン５８ｂで特定された不良画像５１がユーザーによって選択されている。判断部１１７は、ユーザーが選択した不良画像５１に対応する対処内容５４を、操作パネル１０７に表示することによりユーザーに通知する。判断部１１７は、さらに、記憶装置１２０に格納されている画像不良データＤについて、ユーザーが選択した不良画像５１に対応する発生回数５５を更新する。
【００６２】
ここで、判断部１１７は、画像形成装置の使用情報として、印字履歴、環境情報、稼働量、センサー検出値、バイアス設定値、プロセス条件設定値、印刷ジョブの設定値に基づいて、対処内容を判断する構成としてもよい。ここで、印字履歴とはイエロー（Ｙ）、マゼンタ（Ｍ）、シアン（Ｃ）、ブラック（Ｋ）毎に各印字率で何枚印刷されたかをカウントされたデータであり、印刷ジョブ毎に過去１日分のデータに基づくことが好ましい。環境情報は画像不良が発生した時点の画像形成装置１００内の温度および湿度などである。
【００６３】
稼働量とは、感光体、帯電ユニット、現像器、転写装置、定着装置の積算の摺動距離である。センサー検出値は、ＩＤＣセンサおよびトナー濃度センサの検出値などである。センサーはトナー量残量、トナー切れ、用紙切れを検出するためのセンサー、各部のジャム（紙詰まり）、温度異常、動作異常等をそれぞれ検出するためのセンサー、印刷用紙の排紙トレイへの排出を検出するためのセンサーなどである。バイアス設定値は、帯電、現像バイアス、１次転写バイアス、２次転写バイアスなどの設定値である。プロセス条件設定値は、ＬＤパワーや定着温度などの設定値である。ジョブの設定値は、プロセス速度、スクリーン、紙種、入力画像情報などの設定値である。
【００６４】
判断部１１７は、ロジスティック回帰分析、決定木分析クラスター分析などの各種統計手法も用いて、故障箇所および故障内容を判断してもよい。表示制御部１１２は、特定された故障個所および故障内容に応じて、交換などの対処方法を操作パネル１０７に表示する。
【００６５】
判断部１１７は、ユーザーが選択した不良画像情報と画像形成装置の使用情報とから、画像形成部１１０の対応するユニットの寿命判断を行い、寿命であると判断した場合に該当する交換パーツをユーザーに通知する。例えば、濃度が薄いという画像不良が選択され、かつ、画像形成装置の使用情報から現像バイアスが高く、耐久履歴が長い場合には、判断部１１７は現像器の故障と診断して、表示制御部１１２を介して現像器の交換を操作パネル１０７に表示する。
【００６６】
判断部１１７は、ユーザーが選択した不良画像の情報と画像形成装置の使用情報からメンテナンスが必要な箇所を判断してもよい。自動でメンテナンス可能であると判断した場合、判断部１１７は、自動でメンテナンスを行う構成としてもよい。例えば、縦スジという画像不良が選択され、かつ、画像形成装置の使用情報から高カバレッジが連続していることが判明した場合には、判断部１１７は帯電装置の汚れと判断して、帯電装置を自動で清掃する。
【００６７】
［４．処理手順］
図６を参照して、第１の実施の形態に係る画像不良特定処理の手順を説明する。図６は、画像不良特定処理の手順を示すフローチャートである。当該処理は、たとえば制御装置１０１として機能するＣＰＵが所与のプログラムを実行することによって実現される。
【００６８】
ステップＳ６１０において、制御装置１０１は、画像不良の発生の通知を受け付ける。具体的には、ユーザーが画像不良が発生したと判断した際に、操作パネル１０７を操作することにより、発生した旨が制御装置１０１に通知される。制御装置１０１は、画像不良の発生の通知を受けた場合（ステップＳ６１０においてＹＥＳ）、ステップＳ６２０に処理を進める。そうでない場合（ステップＳ６１０においてＮＯ）、制御装置１０１は、ステップＳ６１０を繰り返す。
【００６９】
ステップＳ６２０において、制御装置１０１の表示制御部１１２は、記憶装置１２０から画像不良データＤを取得する。その後、制御装置１０１は、ステップＳ６２０に処理を進める。
【００７０】
ステップＳ６３０において、制御装置１０１の表示制御部１１２は、画像不良データＤの中の複数種類の不良画像の例を操作パネル１０７に表示する。その後、制御装置１０１は、ステップＳ６４０に処理を進める。
【００７１】
ステップＳ６４０において、制御装置１０１の入力制御部１１４は、操作パネル１０７に表示した複数種類の不良画像に対するユーザーの選択を受け付ける。その後、制御装置１０１は、ステップＳ６５０に処理を進める。
【００７２】
ステップＳ６５０において、制御装置１０１の判断部１１７は、ユーザーの選択に基づいて、発生した画像不良を特定し、特定した画像不良に対応する対処内容を操作パネル１０７に表示する。その後、制御装置１０１は、ステップＳ６６０に処理を進める。
【００７３】
ステップＳ６６０において、制御装置１０１の判断部１１７は、記憶装置１２０に記憶されている画像不良データＤについて、ユーザーの選択に基づいて、発生した画像不良に対応する発生回数を更新する。制御装置１０１は、処理を終了する。
【００７４】
［５．変形例］
図７および図８を参照し、第１の実施の形態に係る変形例を説明する。図７は、第１の実施の形態に係る画像形成装置の変形例における不良画像の表示の一例を示す図である。図８は、第１の実施の形態に係る画像形成装置の変形例における不良画像の表示の他の例を示す図である。
【００７５】
変形例では、制御装置１０１の表示制御部１１２は、スキャナー２０から入力された入力画像に対して、前記複数種類の画像不良の少なくとも一部に対応した画像処理を行い、得られた画像を複数の不良画像の例として、操作パネル１０７の表示部１１３に表示する。ここで、複数種類の画像不良の各々は、それぞれ、画像形成部１１０の少なくとも１つの故障原因に対応している。
【００７６】
図７（Ａ）は、ユーザーがスキャナー２０から入力した入力画像Ｃ１を示す。表示制御部１１２は、ユーザーが入力した入力画像Ｃ１に対して、記憶装置１２０から取得した画像不良データにおける複数種類の画像不良のそれぞれに対応した画像処理を行い、得られた不良画像を操作パネル１０７に表示する。図７（Ｂ）は、当該処理により得られた画像の一例である不良画像Ｃ１′を示す。不良画像Ｃ１′では、入力画像Ｃ１に「こぼれ」という画像不良に特徴的なトナー汚れの画像が重ね合わされている。
【００７７】
表示制御部１１２は、さらに、スキャナー２０から入力された入力画像に基づいて、画像形成の条件を考慮して、画像不良の種類に対応した画像処理を行うようにしてもよい。図８（Ａ）に示す例では、入力画像Ｃ２は、文字部７１もベタ画像部７２も共にブラック（Ｋ）であるため、出力画像Ｃ２′に示すように、ベタ画像部７２の領域に文字部７１が転写されてしまう転写メモリという画像不良が発生し得る。この場合、表示制御部１１２は、不良画像Ｃ２′を操作パネル１０７に表示する。
【００７８】
一方、図８（Ｂ）に示す例では、入力画像Ｃ３は、文字部７１がブラック（Ｋ）で、ベタ画像部７２はイエロー（Ｙ）であるため、出力画像Ｃ３′のように転写メモリが発生し得ない。この場合、表示制御部１１２は、画像Ｃ３′については操作パネルに表示しない。
【００７９】
上記構成とすることにより、ユーザーは入力画像に対して画像不良が発生した場合の出力画像を確認した上で、印刷ジョブ実行時に発生した画像不良と比較することができるため、印刷ジョブ実行時に発生した画像不良をより正確に特定することが可能となる。
【００８０】
なお、上記変形例では、表示制御部１１２は、スキャナー２０から入力された入力画像に対して、複数種類の画像不良の少なくとも一部に対応した画像処理を行うように構成されているが、ユーザーの選択により、入力画像ではなく無地画像に対して画像不良に対応した画像処理を行う構成にしてもよい。このようにすることで、ユーザーは、印刷ジョブ実行時に発生した画像不良を特定することがより容易となる。
【００８１】
［６．小括］
以上のようにして、本実施形態では、制御装置１０１は、印刷ジョブ時に画像不良が発生したためにユーザーが発した指示を契機として、出力画像に発生し得る複数種類の画像不良に関する画像不良データＤを、記憶装置１２０から取得する。制御装置１０１は、複数種類の画像不良にそれぞれ対応する複数の画像の例を、操作パネル１０７に表示する。制御装置１０１は、表示された複数の画像の例の中から、発生した画像不良に対応する画像の選択を受け付ける。制御装置１０１は、受け付けた選択の内容に基づいて、画像形成部の故障箇所を判断し、対処方法を操作パネル１０７に表示する。
【００８２】
上記構成とすることにより、印刷ジョブ実行時に出力画像形成装置に画像不良が発生した場合に、ユーザーに画像不良に関する知識がない場合でも、発生した画像不良の種別を特定し、対処方法を把握することができるため、ユーザーの利便性が向上する。
【００８３】
＜第２の実施の形態＞
［１．概要］
以下、第２の実施の形態について説明する。第２の実施の形態は、表示部１１３に表示した複数の不良画像の例から、印刷ジョブ実行時に発生した画像不良に対応する不良画像をユーザーが選択困難な場合に関する。この場合に、当該不良画像の例を用紙に印刷して出力するように画像形成部１１０に指示する出力指示部２１４を制御装置２０１がさらに備える点で、第２の実施の形態は第１の実施の形態と異なる。なお、本実施形態においては、前述の実施の形態に係る画像形成装置１００が備える構成と同様の構成には、画像形成装置１００の符号と同一の符号を付してある。したがって、それらの説明は繰り返さない。
【００８４】
［２．詳細］
図９〜図１２を参照して、第２の実施の形態に係る画像形成装置において画像不良を特定するための処理について説明する。図９は、第２の実施の形態に係る画像形成装置において画像不良を特定する処理を表す機能ブロック図である。図１０は、不良画像の形成処理の一例を示す図である。図１１は、不良画像の形成処理の他の例を示す図である。図１２は、不良画像の形成処理のさらに他の例を示す図である。
【００８５】
第２の実施の形態に係る画像形成装置は、動作モードの１つとして不良画像出力モードを備える。また、図９に示すように、制御装置２０１はさらに出力指示部２１４として機能する。不良画像出力モードでは、制御装置２０１の出力指示部２１４は、表示制御部１１２が表示した複数の画像の例から、印刷ジョブ実行時に発生した画像不良に対応する画像をユーザーが選択困難な場合に、ユーザーからの指示を契機として、複数の画像の例の内の少なくとも１つを、用紙に印刷するように画像形成部１１０に指示する。具体的には、例えば、複数種類の画像不良の少なくとも１つに対応する画像の例を、ユーザーがスキャナー２０から読み込んだ入力画像に重ねて出力する。
【００８６】
図１０を参照して、不良画像出力モードの一例を説明する。図１０（Ａ）は、印刷ジョブ実行時に用紙Ｓ１上に発生した画像不良を示す。図１０（Ａ）に示す例では、縦方向にムラが生じている。このようなムラは、その間隔によっては、画像不良の種類が異なり、発生原因および対処方法が異なる場合が存在する。
【００８７】
しかし、ユーザーは、操作パネル１０７に表示された複数の画像の例から、印刷ジョブ実行時に発生した画像不良に対応する画像をムラの間隔から判断しないといけなくなり、対応する不良画像を適切に選択することが困難な場合がある。というのも、印刷された画像と操作パネル１０７上の画像とでは、サイズが異なるために、ユーザーはムラの間隔や太さを判別困難なためである。
【００８８】
そこで、不良画像出力モードでは、ユーザーは、操作パネル１０７上に表示された不良画像の中から、縦方向のムラを有する画像不良に対応する画像を一つまたは複数選択し、用紙上への印刷を指示する。出力指示部２１４は、ユーザーからの指示を契機として、図１０（Ｂ）に示す入力画像データＧ１の上に指定された画像を重ねて用紙上に印刷するように画像形成部１１０に指示する。画像形成部１１０は、ユーザーに指定された一つまたは複数の画像の例を用紙上に印刷する。
【００８９】
図１０（Ｃ）に、ユーザーによって縦方向のムラの間隔が異なる３つの画像が指定された場合に、出力指示部２１４の指示により画像形成された用紙Ｓ１′を示す。図１０（Ｃ）に示すように、用紙Ｓ１′には、用紙Ｓ１に発生した画像不良に重ねて、縦方向の間隔の異なる３種類のムラＡ〜Ｃが印刷されている。ここで、ムラＡ〜Ｃは、それぞれ異なる種類の画像不良に対応しており、たとえば、ユーザーが入力した画像とは違う色で印刷されることが好ましい。
【００９０】
このようにすることで、ユーザーは印刷ジョブ実行時に用紙Ｓ１上に発生したムラが、出力指示部２１４の指示により用紙Ｓ１′上に形成されたムラＣに対応していることを容易に判断することができ、印刷ジョブ実行時に発生した画像不良を正確に特定することが可能となる。そして、ユーザーがムラＣを選択することにより、ユーザーが選択した内容に基づいて、判断部１１７は、当該画像不良への対処方法を判断し、表示制御部１１２を介して表示部１１３に表示させる。
【００９１】
図１１を参照して、不良画像出力モードの他の例を説明する。図１１（Ａ）は、ブラック（Ｋ）のトナーで形成された画像の上に、画像不良として縦スジＴが発生した場合を示す。この場合、ユーザーは、「縦スジ」に対応する不良画像を選択することとなるが、発生した縦スジＴがブラック（Ｋ）のトナーに係るユニットにのみ起因するのか、他色のトナーに係るユニットにも起因するのか不明であるため、どのユニットを交換すればよいのかを正確に把握できない。
【００９２】
そこで、出力指示部２１４は、ユーザーが選択した画像に対応する画像形成部の故障要因が複数ある場合は、画像形成部の故障要因を特定可能なテストパターンを用紙に印刷するように画像形成部に指示する。
【００９３】
具体的には、図１１（Ｂ）に示すように、出力指示部２１４は、イエロー（Ｙ）、マゼンタ（Ｍ）、シアン（Ｃ）、ブラック（Ｋ）のそれぞれが帯状領域として形成されたテストパターンを、用紙に印刷するように画像形成部１１０に指示する。そして、図１１（Ｃ）に示すように、用紙Ｓ２′にブラック（Ｋ）の画像領域にのみ縦スジＴが形成されると、ユーザーは、当該画像不良がブラック（Ｋ）のトナーに係るユニットにのみ起因する画像不良であることを判断することができるため、ブラック（Ｋ）のトナーに係るユニットのみメンテナンスまたは交換をすることが可能となる。
【００９４】
図１２を参照して、不良画像出力モードのさらに他の例を説明する。形成対象の画像が所望の濃度とならない場合、どの程度濃度を調整すべきかをユーザーが判断できない場合がある。この場合、発生した画像不良に対応する画像として、ユーザーが濃度濃さに対応する画像を選択した場合に、出力指示部２１４は、図１２（Ａ）に示すように、イエロー（Ｙ）、マゼンタ（Ｍ）、シアン（Ｃ）、ブラック（Ｋ）のそれぞれについて、縦方向に濃度が濃くなるようなテスト画像を用紙Ｓ３′上に形成するように、画像形成部１１０に指示する。
【００９５】
さらに、図１２（Ｂ）に示すように、表示制御部１１２は、当該テスト画像を操作パネル１０７に表示する。ユーザーは、出力指示部２１４の指示により画像形成部１１０が出力した用紙Ｓ３′を確認し、所望の濃度である画像を操作パネル１０７で選択することにより、当該濃度で後続の印刷が可能となる。
【００９６】
［３．処理手順］
図１３を参照して、第２の実施の形態に係る画像不良特定処理の手順を説明する。図１３は、第２の実施の形態に係る画像不良特定処理の手順を示すフローチャートである。当該処理は、たとえば制御装置２０１として機能するＣＰＵが所与のプログラムを実行することによって実現される。
【００９７】
図１３に示すように、ステップＳ６１０〜ステップＳ６３０、およびステップＳ６４０〜ステップＳ６６０は、第１の実施の形態に係る画像不良特定処理の手順と同様のため、説明は繰り返さない。ステップＳ６３０の後、制御装置２０１は、ステップＳ１３３３に処理を進める。
【００９８】
ステップＳ１３３３において、制御装置２０１は、ユーザーからの不良画像選択不可の通知を受け付ける。具体的には、ユーザーが不良画像の選択ができないと判断した際に、操作パネル１０７を操作することにより、不良画像選択不可が通知される。
【００９９】
ユーザーが不良画像を選択可能である場合（ステップＳ１３３３においてＮＯ）、制御装置２０１は、ステップＳ６４０に処理を進める。そうでない場合（ステップＳ１３３３においてＹＥＳ）、制御装置２０１は、ステップＳ１３３６に処理を進める。
【０１００】
ステップＳ１３３６において、制御装置２０１の出力指示部２１４は、画像不良データＤに基づいて少なくとも１つの画像の例を用紙上に印刷するように画像形成部１１０に指示し、画像形成部１１０は不良画像を用紙上に印刷する。制御装置２０１は、制御をステップＳ６４０に切り替え、後続の処理を行う。
【０１０１】
［４．小括］
以上のようにして、第２の実施の形態では、出力指示部２１４は、表示部１１３に表示された不良画像をユーザーが選択困難な場合に、ユーザーからの指示を契機として、画像不良データＤに基づいて少なくとも１つの画像の例を用紙上に印刷するように画像形成部に指示をする。
【０１０２】
上記構成とすることにより、画面上に表示された不良画像の例だけでは発生した画像不良の特定が困難である場合に、ユーザは画像不良データＤに基づき用紙上に形成された不良画像を参照することが可能となり、ユーザーによる画像不良の特定が容易となる。
【０１０３】
＜第３の実施の形態＞
［１．概要］
以下、第３の実施の形態に係る画像形成システム１０００について説明する。第３の実施の形態に係る画像形成システム１０００では、画像形成装置３００とサーバー３５０とで連携して画像不良を特定するための処理を行う点で、第１の実施の形態と異なる。なお、本実施形態においては、前述の実施の形態に係る画像形成装置１００が備える構成と同様の構成には、画像形成装置１００の符号と同一の符号を付してある。したがって、それらの説明は繰り返さない。
【０１０４】
［２．詳細］
図１４は、第３の実施の形態に係る画像形成システムにおいて画像不良を特定する処理を表す機能ブロック図である。図１４に示すように、第３の実施の形態に係る画像形成システム１０００は、画像形成装置３００と、サーバー３５０とを備える。画像形成装置３００は、制御装置３０１と、操作パネル１０７とを含む。制御装置３０１は、画像不良を特定する処理に関する機能として、画像送信部３１１と、表示制御部３１２と、入力制御部３１４とを含む。サーバー３５０は、記憶装置３２０と、制御装置３３０とを含む。制御装置３３０は、画像不良を特定する処理に関する機能として、画像生成部３１５と、判断部３１７とを有する。
【０１０５】
図１５は、画像形成システム１０００において、画像形成装置３００とサーバー３５０との連携を示す図である。画像形成装置３００の入力制御部３１４は、用紙に印刷された画像に画像不良が発生したことを契機としてユーザーから所定の入力を受け付けると（ＳＱ１）、サーバー３５０の制御装置３３０に画像不良発生を通知する（ＳＱ２）。サーバー３５０が備える制御装置３３０の画像生成部３１５は、画像形成装置３００から画像不良発生の通知を受けると、画像不良データＤを記憶装置３２０から取得する（ＳＱ３）
画像形成装置３００の備える制御装置３０１の画像送信部３１１は、ユーザーが入力した画像をサーバー３５０に送信する（ＳＱ４）。画像生成部３１５は、ユーザーが入力した画像に対して、画像不良データＤに基づく複数種類の画像不良の少なくとも一部に対応した画像処理を行い、互いに種類の異なる複数の不良画像の例を生成する（ＳＱ５）。
【０１０６】
画像形成装置３００の表示制御部３１２は、サーバー３５０の画像生成部３１５が生成した複数の不良画像の例とそれに関連する情報（たとえば、画像不良の発生頻度など）とを受信し、受信した複数の不良画像の例を操作パネル１０７に表示する（ＳＱ６）。好ましくは、表示制御部３１２は、当該不良画像を、対応する画像不良の発生頻度の多い順に並べて表示する。画像形成装置３００の入力制御部３１４は、ユーザーからの不良画像の選択を入力部１１５を介して受け付け（ＳＱ７）、当該選択された不良画像についての情報を、サーバー３５０の制御装置３３０の判断部３１７へ送信する。サーバー３５０の判断部３１７は、受信した選択情報に基づいて、画像形成部１１０の故障個所を判断し、当該故障箇所への対処方法を判断する（ＳＱ８）。たとえば、サーバー３５０の判断部３１７は、画像形成部１１０の故障個所に寿命が到来しているか、またはメンテナンスが必要であるかを判断する。サーバー３５０の判断部３１７は、判断した対処方法を画像形成装置２００の表示制御部３１２によって操作パネル１０７に表示させる（ＳＱ９）。
【０１０７】
または、ユーザーが操作パネル上に表示された不良画像を選択すると、画像形成装置３００の制御装置３０１は、ユーザーに選択された不良画像に対応する画像不良を、画像形成装置３００のメンテナンスを実施するサービスマンが所有するモバイル端末に通知してもよい。その情報を基にサービスマンが現地に向かう前に修理や交換パーツを準備する構成としてもよい。
【０１０８】
ここで、好ましくは、サーバー３５０の判断部３１７に通知される情報には、画像形成装置の印字履歴、環境情報、稼働率、各種設定値（センサ感度設定値、バイアス設定値）、当該画像不良の発生回数などの使用情報を含めることができる。
【０１０９】
サーバー３５０の判断部３１７は、画像形成装置３００の各種設定値の変更や自動清掃などによるメンテナンスを、遠隔で行うこともできる。または、サーバー３５０を複数の画像形成装置３００と通信可能に構成し、表示制御部３１２は、操作パネル１０７の表示する画像不良データを、複数の画像形成装置３００，３００…，３００からの情報を蓄積している記憶装置３２０のデータに基づいて、発生回数の多い順番に表示してもよい。あるいは、画像形成装置３００の環境情報、稼働率、印字履歴、画像情報、その他画像形成装置３００の使用情報に基づいて、該当する使用情報において発生する傾向の高い順に画像不良データを表示する仕様としてもよい。
【０１１０】
［３．小括］
以上のようにして、第３の実施の形態では、画像形成装置３００とサーバー３５０とで連携して画像不良を特定するための処理を行う。
【０１１１】
上記構成とすることにより、画像不良データの管理および画像不良の診断、画像形成装置へのメンテナンスなどの対象をサーバーで一元管理をすることができ、ユーザーの利便性が向上する。
【０１１２】
＜他の実施形態＞
なお、本開示に係る技術的思想の適用範囲は、上記実施形態に限定されない。例えば、ユーザーは印刷ジョブ開始前に画像不良が発生しないことを確認したいときに、画像不良が発生するか否かをチェックするチェックモードを動作モードとして選択可能な構成としてもよい。
【０１１３】
当該チェックモードでは、制御装置は、ユーザーが入力するテスト画像についての印刷画像を画像形成部に出力させる。出力された画像に画像不良が発生したとユーザーが感じた場合に、制御装置は、ユーザーからの指示を契機として、第１の実施の形態と同様の画像不良を特定するための処理を行う。たとえば、画像形成部は、画像不良が発生しているか否かをチェックするためのテストパターンを用紙上に印刷して出力する。このようにすることで、印刷ジョブが開始される前に白紙、または、イエロー（Ｙ）、マゼンタ（Ｍ）、シアン（Ｃ）、ブラック（Ｋ）の横帯柄紙などの画像不良を発生しやすい用紙で画像不良が発生しないかをチェックすることができる。このようにしても、上記実施の形態と同様の効果を得ることができる。
【０１１４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１５】
２０  スキャナー、２１  カバー、２２  用紙台、２３  用紙トレイ、２５  プリンター、４１  搬送経路、４８  トレー、５１  不良画像、５２  不良名称、５３  原因ユニット、５４  対処内容、５５  発生回数、５６  操作ボタン、５６ａ  電源ボタン、５６ｂ  テンキー、５６ｃ  スタートキー、５６ｄ  ストップキー、５６ｅ  リセットキー、５８ａ  選択枠、５８ｂ  選択アイコン、６０  収納部、６１  給紙ローラー、６２  搬送ローラー、６３  用紙センサ、６４  手差しトレイ、７０  反転ローラー、７１  文字部、７２  ベタ画像部、８７  タイミングローラー、８８  タイミングセンサ、８９  切替爪、１００，２００，３００  画像形成装置、１０１，２０１，３０１，３３０  制御装置、１０２  ＲＯＭ、１０３  ＲＡＭ、１０４  ネットワークインターフェイス、１０７  操作パネル、１１０  画像形成部、１１２，３１２  表示制御部、１１３  表示部、１１４，３１４  入力制御部、１１５  入力部、１１７，３１７  判断部、１２０，３２０  記憶装置、１２２  制御プログラム、２１４  出力指示部、３１１  画像送信部、３１５  画像生成部、３５０  サーバー、１０００  画像形成システム。
【図１】
2019102843.tif 000003
【図２】
2019102843.tif 000004
【図３】
2019102843.tif 000005
【図４】
2019102843.tif 000006
【図５】
2019102843.tif 000007
【図６】
2019102843.tif 000008
【図７】
2019102843.tif 000009
【図８】
2019102843.tif 000010
【図９】
2019102843.tif 000011
【図１０】
2019102843.tif 000012
【図１１】
2019102843.tif 000013
【図１２】
2019102843.tif 000014
【図１３】
2019102843.tif 000015
【図１４】
2019102843.tif 000016
【図１５】
2019102843.tif 000017